(57)【要約】【課題】  多数のユーザが同一セルにおいてＨＳＤＰＡ通信を同時に行うことを可能とする移動体通信システムを提供する。【解決手段】  基地局１０１が送信するＨＳ−ＰＤＳＣＨには、複数の配信情報とそれぞれ対応するＨＳ−ＰＤＳＣＨと、各配信情報のガイド情報のＨＳ−ＰＤＳＣＨとが含まれる。移動体通信端末１０２は、ガイド情報のＨＳ−ＰＤＳＣＨのオフセット及びコード数を記憶している。移動体通信端末１０２は、記憶しているオフセット及びコード数を用いてガイド情報のＨＳ−ＰＤＳＣＨをデコードし、ガイド情報を抽出し、ガイド情報を用いて、複数の配信情報の何れかを選択操作可能な選択画面を表示画面に表示する。ユーザに選択された配信情報のオフセット値及びコード数を決定し、選択された配信情報のＨＳ−ＰＤＳＣＨをデコードする。【選択図】    図１
2008227705.tif 000002
【特許請求の範囲】
【請求項１】
移動体通信端末に情報を配信する基地局と、前記基地局から情報を受信する移動体通信端末と、を備えるＨＳＤＰＡ方式の移動体通信システムにおいて、
前記基地局は、前記移動体通信端末に対し、ＨＳ−ＳＣＣＨと対にはせずにＨＳ−ＰＤＳＣＨを送信し、
前記ＨＳ−ＰＤＳＣＨには、複数の配信情報とそれぞれ対応するＨＳ−ＰＤＳＣＨと、各配信情報の識別情報を少なくとも含むガイド情報のＨＳ−ＰＤＳＣＨと、が含まれ、
前記移動体通信端末は、前記ガイド情報のＨＳ−ＰＤＳＣＨのオフセット値及びコード数を予め記憶保持しており、
前記移動体通信端末は、配信情報を受信する場合には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出し、該ガイド情報に含まれる識別情報を用いることにより、前記複数の配信情報の何れかを選択操作可能となるように当該移動体通信端末の表示画面に配信情報の選択画面を表示し、ユーザにより何れかの配信情報が選択されると、該選択された配信情報と対応するオフセット値及びコード数を決定し、該決定したオフセット値及びコード数を用いて前記選択された配信情報と対応するＨＳ−ＰＤＳＣＨをデコードすることを特徴とする移動体通信システム。
【請求項２】
前記ガイド情報には、前記選択画面において選択された配信情報と、各配信情報と対応するＨＳ−ＰＤＳＣＨのオフセット値及びコード数と、の対応付けを示す対応付け情報が含まれ、
前記移動体通信端末は、前記ガイド情報のＨＳ−ＰＤＳＣＨをデコードすることにより前記対応付け情報を抽出し、該対応付け情報を参照することにより、ユーザにより前記選択画面において選択された配信情報と対応するＨＳ−ＰＤＳＣＨのオフセット値及びコード数を決定することを特徴とする請求項１に記載の移動体通信システム。
【請求項３】
前記移動体通信端末は、前記選択画面において選択された配信情報と、各配信情報と対応するＨＳ−ＰＤＳＣＨのオフセット値及びコード数と、の対応付けを示す対応付け情報を参照することにより、前記選択画面においてユーザによって選択された配信情報と対応するオフセット値及びコード数を決定する動作を実行するためのオフセット値・コード数決定プログラムを予め記憶保持しており、
前記オフセット値・コード数決定プログラムに従い、前記対応付け情報を参照することにより、前記選択画面においてユーザにより選択された配信情報と対応するＨＳ−ＰＤＳＣＨのオフセット値及びコード数を決定することを特徴とする請求項１又は２に記載の移動体通信システム。
【請求項４】
移動体通信端末に情報を配信する基地局と、前記基地局から情報を受信する移動体通信端末と、を備えるＨＳＤＰＡ方式の移動体通信システムにおいて、
前記基地局は、前記移動体通信端末に対し、ＨＳ−ＳＣＣＨとＨＳ−ＰＤＳＣＨとを対で送信し、
前記ＨＳ−ＰＤＳＣＨには、複数の配信情報とそれぞれ対応するＨＳ−ＰＤＳＣＨと、各配信情報の識別情報の識別情報を少なくとも含むガイド情報のＨＳ−ＰＤＳＣＨと、が含まれ、
前記ＨＳ−ＳＣＣＨには、各配信情報毎に、対応するＨＳ−ＰＤＳＣＨのオフセット値及びコード数を有するＨＳ−ＰＤＳＣＨが含まれ、
前記移動体通信端末は、前記ガイド情報のＨＳ−ＰＤＳＣＨのオフセット値及びコード数を予め記憶保持しており、
前記移動体通信端末は、配信情報を受信する場合には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出し、該ガイド情報に含まれる識別情報を用いることにより、前記複数の配信情報の何れかを選択操作可能となるように当該移動体通信端末の表示画面に配信情報の選択画面を表示し、ユーザにより何れかの配信情報が選択されると、複数の移動体通信端末に共用されるｕｅｉｄであって前記選択された配信情報と対応するｕｅｉｄを決定し、該決定したｕｅｉｄを用いて前記選択された配信情報と対応するＨＳ−ＳＣＣＨをデコードすることにより、前記選択された配信情報と対応するＨＳ−ＰＤＳＣＨのオフセット値及びコード数を抽出し、これら抽出したオフセット値及びコード数を用いて前記選択された配信情報と対応するＨＳ−ＰＤＳＣＨをデコードすることを特徴とする移動体通信システム。
【請求項５】
前記ガイド情報には、前記選択画面において選択された配信情報と、各配信情報と対応するＳＨ−ＳＣＣＨのｕｅｉｄ及びチャネライゼーションコードセットと、の対応付けを示す対応付け情報が含まれ、
前記移動体通信端末は、前記ガイド情報のＨＳ−ＰＤＳＣＨをデコードすることにより前記対応付け情報を抽出し、該対応付け情報を参照することにより、ユーザにより前記選択画面において選択された配信情報と対応するＳＨ−ＳＣＣＨのｕｅｉｄ及びチャネライゼーションコードセットを決定することを特徴とする請求項４に記載の移動体通信システム。
【請求項６】
前記移動体通信端末は、前記選択画面において選択された配信情報と、各配信情報と対応するＳＨ−ＳＣＣＨのｕｅｉｄ及びチャネライゼーションコードセットと、の対応付けを示す対応付け情報を予め記憶保持しており、
前記移動体通信端末は、前記対応付け情報を参照することにより、ユーザにより前記選択画面において選択された配信情報と対応するＳＨ−ＳＣＣＨのｕｅｉｄ及びチャネライゼーションコードセットを決定することを特徴とする請求項４に記載の移動体通信システム。
【請求項７】
前記移動体通信端末は、前記対応付け情報を参照することにより、前記選択画面においてユーザによって選択された配信情報と対応するＳＨ−ＳＣＣＨのｕｅｉｄ及びチャネライゼーションコードセットを決定する動作を実行するためのｕｅｉｄ・チャネライゼーションコードセット決定プログラムを予め記憶保持しており、
前記ｕｅｉｄ・チャネライゼーションコードセット決定プログラムに従い、前記対応付け情報を参照することにより、前記選択画面においてユーザにより選択された配信情報と対応するＳＨ−ＳＣＣＨのｕｅｉｄ及びチャネライゼーションコードセットを決定することを特徴とする請求項５又は６に記載の移動体通信システム。
【請求項８】
前記ガイド情報には、各配信情報と対応するＳＨ−ＳＣＣＨのｕｅｉｄが含まれることを特徴とする請求項４乃至７の何れか一項に記載の移動体通信システム。
【請求項９】
前記移動体通信端末は、各配信情報と対応するＳＨ−ＳＣＣＨのｕｅｉｄを予め記憶保持していることを特徴とする請求項４乃至７の何れか一項に記載の移動体通信システム。
【請求項１０】
前記ガイド情報には、各配信情報と対応するＳＨ−ＳＣＣＨのチャネライゼーションコードセットが含まれることを特徴とする請求項４乃至９の何れか一項に記載の移動体通信システム。
【請求項１１】
前記移動体通信端末は、各配信情報と対応するＳＨ−ＳＣＣＨのチャネライゼーションコードセットを予め記憶保持していることを特徴とする請求項４乃至９の何れか一項に記載の移動体通信システム。
【請求項１２】
前記基地局は、各配信情報の情報量に応じて、各配信情報のＨＳ−ＰＤＳＣＨのコード数を変更することを特徴とする請求項４乃至１１の何れか一項に記載の移動体通信システム。
【請求項１３】
前記基地局は、各配信情報の情報量に応じて、各配信情報のＨＳ−ＰＤＳＣＨの変調方式を変更することを特徴とする請求項４乃至１２の何れか一項に記載の移動体通信システム。
【請求項１４】
前記移動体通信端末は、前記選択画面を前記表示画面に表示する動作を実行するための表示プログラムを予め記憶保持しており、前記表示プログラムに従い、前記選択画面を前記表示画面に表示することを特徴とする請求項１乃至１３の何れか一項に記載の移動体通信システム。
【請求項１５】
前記配信情報は、番組であり、
前記移動体通信端末は、ユーザにより選択された番組と対応するＨＳ−ＰＤＳＣＨをデコードすることにより当該番組の表示データを抽出し、該表示データを用いて番組を表示することを特徴とする請求項１乃至１４の何れか一項に記載の移動体通信システム。
【請求項１６】
基地局から送信される複数の配信情報の各々と対応するＨＳ−ＰＤＳＣＨのうち、ユーザにより選択された配信情報と対応するＨＳ−ＰＤＳＣＨをデコードすることが可能なＨＳＤＰＡ方式の移動体通信端末において、
基地局から送信されるＨＳ−ＰＤＳＣＨのうち、複数の配信情報の識別情報を少なくとも含むガイド情報のＨＳ−ＰＤＳＣＨのオフセット値及びコード数を予め記憶保持しており、
配信情報を受信する場合には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出し、該ガイド情報に含まれる識別情報を用いることにより、前記複数の配信情報の何れかを選択操作可能となるように当該移動体通信端末の表示画面に配信情報の選択画面を表示し、ユーザにより何れかの配信情報が選択されると、該選択された配信情報と対応するオフセット値及びコード数を決定し、該決定したオフセット値及びコード数を用いて前記選択された配信情報と対応するＨＳ−ＰＤＳＣＨをデコードすることを特徴とする移動体通信端末。
【請求項１７】
ＨＳ−ＰＤＳＣＨにより移動体通信端末に複数の配信情報を配信するＨＳＤＰＡ方式の基地局において、
前記移動体通信端末に対し、ＨＳ−ＳＣＣＨと対にはせずにＨＳ−ＰＤＳＣＨを送信し、
前記ＨＳ−ＰＤＳＣＨには、複数の配信情報とそれぞれ対応するＨＳ−ＰＤＳＣＨと、各配信情報の識別情報を少なくとも含むガイド情報のＨＳ−ＰＤＳＣＨと、が含まれることを特徴とする基地局。
【請求項１８】
基地局から送信される複数の配信情報の各々と対応するＨＳ−ＰＤＳＣＨのうち、ユーザにより選択された配信情報と対応するＨＳ−ＰＤＳＣＨをデコードすることが可能なＨＳＤＰＡ方式の移動体通信端末において、
基地局から送信されるＨＳ−ＰＤＳＣＨのうち、複数の配信情報の識別情報を少なくとも含むガイド情報のＨＳ−ＰＤＳＣＨのオフセット値及びコード数を予め記憶保持しており、
前記移動体通信端末は、配信情報を受信する場合には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出し、該ガイド情報に含まれる識別情報を用いることにより、前記複数の配信情報の何れかを選択操作可能となるように当該移動体通信端末の表示画面に配信情報の選択画面を表示し、ユーザにより何れかの配信情報が選択されると、複数の移動体通信端末に共用されるｕｅｉｄであって前記選択された配信情報と対応するｕｅｉｄを決定し、該決定したｕｅｉｄを用いて前記選択された配信情報と対応するＨＳ−ＳＣＣＨをデコードすることにより、前記選択された配信情報と対応するＨＳ−ＰＤＳＣＨのオフセット値及びコード数を抽出し、これら抽出したオフセット値及びコード数を用いて前記選択された配信情報と対応するＨＳ−ＰＤＳＣＨをデコードすることを特徴とする移動体通信端末。
【請求項１９】
ＨＳ−ＰＤＳＣＨにより移動体通信端末に複数の配信情報を配信するＨＳＤＰＡ方式の基地局において、
前記移動体通信端末に対し、ＨＳ−ＳＣＣＨとＨＳ−ＰＤＳＣＨとを対で送信し、
前記ＨＳ−ＰＤＳＣＨには、複数の配信情報とそれぞれ対応するＨＳ−ＰＤＳＣＨと、各配信情報の識別情報の識別情報を少なくとも含むガイド情報のＨＳ−ＰＤＳＣＨと、が含まれ、
前記ＨＳ−ＳＣＣＨには、各配信情報毎に、対応するＨＳ−ＰＤＳＣＨのオフセット値及びコード数を有するＨＳ−ＰＤＳＣＨが含まれることを特徴とする基地局。
【請求項２０】
基地局から情報を配信し、該情報を移動体通信端末が受信するＨＳＤＰＡ方式の移動体通信方法において、
前記基地局が、前記移動体通信端末に対し、ＨＳ−ＳＣＣＨと対にはせずにＨＳ−ＰＤＳＣＨを送信する第１の過程を備え、
前記ＨＳ−ＰＤＳＣＨには、複数の配信情報とそれぞれ対応するＨＳ−ＰＤＳＣＨと、各配信情報の識別情報を少なくとも含むガイド情報のＨＳ−ＰＤＳＣＨと、が含まれ、
前記移動体通信端末は、前記ガイド情報のＨＳ−ＰＤＳＣＨのオフセット値及びコード数を予め記憶保持しており、
当該移動体通信方法は、更に、前記移動体通信端末が配信情報を受信する第２の過程を更に備え、
前記第２の過程には、
前記ガイド情報のＨＳ−ＰＤＳＣＨのオフセット値及びコード数を用いて前記ガイド情報のＨＳ−ＰＤＳＣＨをデコードすることにより、前記ガイド情報を抽出する第３の過程と、
前記ガイド情報に含まれる識別情報を用いることにより、前記複数の配信情報の何れかを選択操作可能となるように当該移動体通信端末の表示画面に配信情報の選択画面を表示する第４の過程と、
ユーザにより何れかの配信情報が選択されると、該選択された配信情報と対応するオフセット値及びコード数を決定する第５の過程と、
前記決定したオフセット値及びコード数を用いて前記選択された配信情報と対応するＨＳ−ＰＤＳＣＨをデコードする第７の過程と、
が含まれることを特徴とする移動体通信方法。
【請求項２１】
基地局から情報を配信し、該情報を移動体通信端末が受信するＨＳＤＰＡ方式の移動体通信方法において、
前記基地局が、前記移動体通信端末に対し、ＨＳ−ＳＣＣＨとＨＳ−ＰＤＳＣＨとを対で送信する第１の過程を備え、
前記ＨＳ−ＰＤＳＣＨには、複数の配信情報とそれぞれ対応するＨＳ−ＰＤＳＣＨと、各配信情報の識別情報の識別情報を少なくとも含むガイド情報のＨＳ−ＰＤＳＣＨと、が含まれ、
前記ＨＳ−ＳＣＣＨには、各配信情報毎に、対応するＨＳ−ＰＤＳＣＨのオフセット値及びコード数を有するＨＳ−ＰＤＳＣＨが含まれ、
前記移動体通信端末は、前記ガイド情報のＨＳ−ＰＤＳＣＨのオフセット値及びコード数を予め記憶保持しており、
当該移動体通信方法は、更に、前記移動体通信端末が配信情報を受信する第２の過程を更に備え、
前記第２の過程には、
前記ガイド情報のＨＳ−ＰＤＳＣＨのオフセット値及びコード数を用いて前記ガイド情報のＨＳ−ＰＤＳＣＨをデコードすることにより、前記ガイド情報を抽出する第３の過程と、
前記ガイド情報に含まれる識別情報を用いることにより、前記複数の配信情報の何れかを選択操作可能となるように当該移動体通信端末の表示画面に配信情報の選択画面を表示する第４の過程と、
ユーザにより何れかの配信情報が選択されると、複数の移動体通信端末に共用されるｕｅｉｄであって前記選択された配信情報と対応するｕｅｉｄを決定する第５の過程と、
前記決定したｕｅｉｄを用いて前記選択された配信情報と対応するＨＳ−ＳＣＣＨをデコードすることにより、前記選択された配信情報と対応するＨＳ−ＰＤＳＣＨのオフセット値及びコード数を抽出する第６の過程と、
前記抽出したオフセット値及びコード数を用いて前記選択された配信情報と対応するＨＳ−ＰＤＳＣＨをデコードする第７の過程と、
が含まれることを特徴とする移動体通信方法。
【請求項２２】
コンピュータが実行可能なプログラムにおいて、請求項１６又は１８に記載の移動体通信端末の動作をコンピュータに実行させることを特徴とするプログラム。
【請求項２３】
コンピュータが実行可能なプログラムにおいて、請求項１７又は１９に記載の基地局の動作をコンピュータに実行させることを特徴とするプログラム。
【発明の詳細な説明】
【技術分野】
【０００１】
本発明は、移動体通信システム、その移動体通信端末、基地局、移動体通信方法、及びプログラムに関する。
【背景技術】
【０００２】
近年急速に普及してきている３ＧＰＰ（３ｒｄ  Ｇｅｎｅｒａｔｉｏｎ  Ｐａｒｔｎｅｒｓｈｉｐ  Ｐｒｏｊｅｃｔ）準拠のＷ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）方式において、ダウンリンクにおける高速な伝送を実現するため、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式が提案され、研究及び開発が進められている。
【０００３】
ＨＳＤＰＡ方式では、基地局から移動体通信端末にデータが送信されるダウンリンクにて用いられる物理チャネルとして、ＨＳ−ＳＣＣＨ（Ｈｉｇｈ  Ｓｐｅｅｄ  Ｓｈａｒｄ  Ｃｏｎｔｒｏｌ  Ｃｈａｎｎｅｌ）と、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｄ  Ｃｈａｎｎｅｌ）と、が規定されている。
【０００４】
従来、ＨＳ−ＳＣＣＨとＨＳ−ＰＤＳＣＨとは、対で使用される。
【０００５】
このうちＨＳ−ＰＤＳＣＨによって、ＨＳＤＰＡ用のパケットデータが伝送される。
【０００６】
また、ＨＳ−ＳＣＣＨでは、対で送信されるＨＳ−ＰＤＳＣＨのパケットデータをデコードするためのデコード情報が伝送されるが、移動体通信端末は基地局から通知されたＵＥＩＤ（ＵＥ  ｉｄｅｎｔｉｆｙ）を用いて、自分宛のＨＳ−ＳＣＣＨをデコードする。
【０００７】
また、ダウンリンクのＨＳＤＰＡの各チャネルの本数は、ＨＳ−ＳＣＣＨは最大４本、ＨＳ−ＰＤＳＣＨは最大１５本と規定されている。
【０００８】
一方、移動体通信端末から基地局にデータが送信されるアップリンクの物理チャネルとして、ＨＳ−ＤＰＣＣＨ（Ｈｉｇｈ  Ｓｐｅｅｄ  Ｄｅｄｉｃａｔｅｄ  Ｃｏｎｔｒｏｌ  Ｃｈａｎｎｅｌ）が規定されている。
【０００９】
図６は、ＨＳ−ＤＰＣＣＨのサブフレームの構成を示す図である。
【００１０】
図６に示すようにＨＳ−ＤＰＣＣＨのサブフレームは、ＨＳ−ＰＤＳＣＨのデコード状況をＡＣＫ／ＮＡＣＫ／ＤＴＸの何れかにして通知するＨＡＲＱ−ＡＣＫ情報と、データの受信品質を示すＣＱＩ（Ｃｈａｎｎｅｌ  Ｑｕａｌｉｔｙ  Ｉｎｄｉｃａｔｏｒ）と、から構成される。
【００１１】
このうちＨＡＲＱ−ＡＣＫには、移動体通信端末が自分向けのＨＳ−ＳＣＣＨを検出し、かつ、ＨＳ−ＰＤＳＣＨのＣＲＣ結果がＯＫであればＡＣＫが挿入され、移動体通信端末が自分向けのＨＳ−ＳＣＣＨを検出でき、かつ、ＨＳ−ＰＤＳＣＨのＣＲＣ結果がＮＧであればＮＡＣＫが挿入され、移動体通信端末が自分向けのＨＳ−ＳＣＣＨを検出できなかった場合は、何も挿入しない、つまり、ＤＴＸ（Ｄｉｓｃｏｎｔｉｎｕｏｕｓ  Ｔｒａｎｓｍｉｓｓｉｏｎ）となる。
【００１２】
また、ＣＱＩは、基地局から移動体通信端末へ送信されるデータのＣＰＩＣＨ（Ｃｏｍｍｏｎ  Ｐｉｌｏｔ  Ｃｈａｎｎｅｌ）の受信品質が０〜３０の値に符号化された値であり、ＨＳ−ＤＰＣＣＨのサブフレーム上にマッピングされている。３ＧＰＰの規定では、受信品質が悪いとＣＱＩは低い値となり、受信品質が良いとＣＱＩは高い値となる、とされている。
【００１３】
また、ＨＳＤＰＡ方式の動作としては、基地局は移動体通信端末から送信されるＨＳ−ＤＰＣＣＨを受信し、ＨＡＲＱ−ＡＣＫ情報に従い、ＡＣＫであれば新規のパケットを送信し、ＮＡＣＫであれば再送し、また、ＤＴＸであり、かつ該当する移動体通信端末に対しＨＳＤＰＡ通信を行っていた場合にも再送を行う。さらに、基地局にて、移動体通信端末から送信されてきたＨＳ−ＤＰＣＣＨにマッピングされたＣＱＩの値に基づいて、受信品質に適したＨＳ−ＰＤＳＣＨを送信するべく、ＨＳ−ＰＤＳＣＨのコード数、ＴＢＳ（Ｔｒａｎｓｐｏｒｔ  Ｂｌｏｃｋ  Ｓｉｚｅ）、変調方式を決定し、ＨＳ−ＳＣＣＨとＨＳ−ＰＤＳＣＨとを対にして送信する。
【００１４】
なお、本発明に関連する先行技術文献としては、例えば、特許文献１がある。特許文献１には、オフセット値によりデコードすべきチャネルを特定する技術が開示されている。
【特許文献１】特開２００３−１９８４２５号公報
【発明の開示】
【発明が解決しようとする課題】
【００１５】
上述したようにＨＳＤＰＡ方式においては、１ユーザに対してＨＳ−ＳＣＣＨとＨＳ−ＰＤＳＣＨとを対にして送信するため、同一セルにおいてＨＳＤＰＡ通信を同時に行うことのできるユーザは最大４ユーザという制限があった。
【００１６】
本発明は、上記のような問題点を解決するためになされたもので、多数のユーザが同一セルにおいてＨＳＤＰＡ通信を同時に行うことを可能とする移動体通信システム、その移動体通信端末、基地局、移動体通信方法、及びプログラムを提供することを目的とする。
【課題を解決するための手段】
【００１７】
上記課題を解決するため、本発明の移動体通信システムは、移動体通信端末に情報を配信する基地局と、前記基地局から情報を受信する移動体通信端末と、を備えるＨＳＤＰＡ方式の移動体通信システムにおいて、前記基地局は、前記移動体通信端末に対し、ＨＳ−ＳＣＣＨと対にはせずにＨＳ−ＰＤＳＣＨを送信し、前記ＨＳ−ＰＤＳＣＨには、複数の配信情報とそれぞれ対応するＨＳ−ＰＤＳＣＨと、各配信情報の識別情報を少なくとも含むガイド情報のＨＳ−ＰＤＳＣＨと、が含まれ、前記移動体通信端末は、前記ガイド情報のＨＳ−ＰＤＳＣＨのオフセット値及びコード数を予め記憶保持しており、前記移動体通信端末は、配信情報を受信する場合には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出し、該ガイド情報に含まれる識別情報を用いることにより、前記複数の配信情報の何れかを選択操作可能となるように当該移動体通信端末の表示画面に配信情報の選択画面を表示し、ユーザにより何れかの配信情報が選択されると、該選択された配信情報と対応するオフセット値及びコード数を決定し、該決定したオフセット値及びコード数を用いて前記選択された配信情報と対応するＨＳ−ＰＤＳＣＨをデコードすることを特徴としている。
【００１８】
また、本発明の移動体通信システムは、移動体通信端末に情報を配信する基地局と、前記基地局から情報を受信する移動体通信端末と、を備えるＨＳＤＰＡ方式の移動体通信システムにおいて、前記基地局は、前記移動体通信端末に対し、ＨＳ−ＳＣＣＨとＨＳ−ＰＤＳＣＨとを対で送信し、前記ＨＳ−ＰＤＳＣＨには、複数の配信情報とそれぞれ対応するＨＳ−ＰＤＳＣＨと、各配信情報の識別情報の識別情報を少なくとも含むガイド情報のＨＳ−ＰＤＳＣＨと、が含まれ、前記ＨＳ−ＳＣＣＨには、各配信情報毎に、対応するＨＳ−ＰＤＳＣＨのオフセット値及びコード数を有するＨＳ−ＰＤＳＣＨが含まれ、前記移動体通信端末は、前記ガイド情報のＨＳ−ＰＤＳＣＨのオフセット値及びコード数を予め記憶保持しており、前記移動体通信端末は、配信情報を受信する場合には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出し、該ガイド情報に含まれる識別情報を用いることにより、前記複数の配信情報の何れかを選択操作可能となるように当該移動体通信端末の表示画面に配信情報の選択画面を表示し、ユーザにより何れかの配信情報が選択されると、複数の移動体通信端末に共用されるｕｅｉｄであって前記選択された配信情報と対応するｕｅｉｄを決定し、該決定したｕｅｉｄを用いて前記選択された配信情報と対応するＨＳ−ＳＣＣＨをデコードすることにより、前記選択された配信情報と対応するＨＳ−ＰＤＳＣＨのオフセット値及びコード数を抽出し、これら抽出したオフセット値及びコード数を用いて前記選択された配信情報と対応するＨＳ−ＰＤＳＣＨをデコードすることを特徴としている。
【００１９】
また、本発明の移動体通信端末は、基地局から送信される複数の配信情報の各々と対応するＨＳ−ＰＤＳＣＨのうち、ユーザにより選択された配信情報と対応するＨＳ−ＰＤＳＣＨをデコードすることが可能なＨＳＤＰＡ方式の移動体通信端末において、基地局から送信されるＨＳ−ＰＤＳＣＨのうち、複数の配信情報の識別情報を少なくとも含むガイド情報のＨＳ−ＰＤＳＣＨのオフセット値及びコード数を予め記憶保持しており、配信情報を受信する場合には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出し、該ガイド情報に含まれる識別情報を用いることにより、前記複数の配信情報の何れかを選択操作可能となるように当該移動体通信端末の表示画面に配信情報の選択画面を表示し、ユーザにより何れかの配信情報が選択されると、該選択された配信情報と対応するオフセット値及びコード数を決定し、該決定したオフセット値及びコード数を用いて前記選択された配信情報と対応するＨＳ−ＰＤＳＣＨをデコードすることを特徴としている。
【００２０】
また、本発明の基地局は、ＨＳ−ＰＤＳＣＨにより移動体通信端末に複数の配信情報を配信するＨＳＤＰＡ方式の基地局において、前記移動体通信端末に対し、ＨＳ−ＳＣＣＨと対にはせずにＨＳ−ＰＤＳＣＨを送信し、前記ＨＳ−ＰＤＳＣＨには、複数の配信情報とそれぞれ対応するＨＳ−ＰＤＳＣＨと、各配信情報の識別情報を少なくとも含むガイド情報のＨＳ−ＰＤＳＣＨと、が含まれることを特徴としている。
【００２１】
また、本発明の移動体通信端末は、基地局から送信される複数の配信情報の各々と対応するＨＳ−ＰＤＳＣＨのうち、ユーザにより選択された配信情報と対応するＨＳ−ＰＤＳＣＨをデコードすることが可能なＨＳＤＰＡ方式の移動体通信端末において、基地局から送信されるＨＳ−ＰＤＳＣＨのうち、複数の配信情報の識別情報を少なくとも含むガイド情報のＨＳ−ＰＤＳＣＨのオフセット値及びコード数を予め記憶保持しており、前記移動体通信端末は、配信情報を受信する場合には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出し、該ガイド情報に含まれる識別情報を用いることにより、前記複数の配信情報の何れかを選択操作可能となるように当該移動体通信端末の表示画面に配信情報の選択画面を表示し、ユーザにより何れかの配信情報が選択されると、複数の移動体通信端末に共用されるｕｅｉｄであって前記選択された配信情報と対応するｕｅｉｄを決定し、該決定したｕｅｉｄを用いて前記選択された配信情報と対応するＨＳ−ＳＣＣＨをデコードすることにより、前記選択された配信情報と対応するＨＳ−ＰＤＳＣＨのオフセット値及びコード数を抽出し、これら抽出したオフセット値及びコード数を用いて前記選択された配信情報と対応するＨＳ−ＰＤＳＣＨをデコードすることを特徴としている。
【００２２】
また、本発明の基地局は、ＨＳ−ＰＤＳＣＨにより移動体通信端末に複数の配信情報を配信するＨＳＤＰＡ方式の基地局において、前記移動体通信端末に対し、ＨＳ−ＳＣＣＨとＨＳ−ＰＤＳＣＨとを対で送信し、前記ＨＳ−ＰＤＳＣＨには、複数の配信情報とそれぞれ対応するＨＳ−ＰＤＳＣＨと、各配信情報の識別情報の識別情報を少なくとも含むガイド情報のＨＳ−ＰＤＳＣＨと、が含まれ、前記ＨＳ−ＳＣＣＨには、各配信情報毎に、対応するＨＳ−ＰＤＳＣＨのオフセット値及びコード数を有するＨＳ−ＰＤＳＣＨが含まれることを特徴としている。
【００２３】
また、本発明の移動体通信方法は、基地局から情報を配信し、該情報を移動体通信端末が受信するＨＳＤＰＡ方式の移動体通信方法において、前記基地局が、前記移動体通信端末に対し、ＨＳ−ＳＣＣＨと対にはせずにＨＳ−ＰＤＳＣＨを送信する第１の過程を備え、前記ＨＳ−ＰＤＳＣＨには、複数の配信情報とそれぞれ対応するＨＳ−ＰＤＳＣＨと、各配信情報の識別情報を少なくとも含むガイド情報のＨＳ−ＰＤＳＣＨと、が含まれ、前記移動体通信端末は、前記ガイド情報のＨＳ−ＰＤＳＣＨのオフセット値及びコード数を予め記憶保持しており、当該移動体通信方法は、更に、前記移動体通信端末が配信情報を受信する第２の過程を更に備え、前記第２の過程には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出する第３の過程と、前記ガイド情報に含まれる識別情報を用いることにより、前記複数の配信情報の何れかを選択操作可能となるように当該移動体通信端末の表示画面に配信情報の選択画面を表示する第４の過程と、ユーザにより何れかの配信情報が選択されると、該選択された配信情報と対応するオフセット値及びコード数を決定する第５の過程と、前記決定したオフセット値及びコード数を用いて前記選択された配信情報と対応するＨＳ−ＰＤＳＣＨをデコードする第７の過程と、が含まれることを特徴としている。
【００２４】
また、本発明の移動体通信方法は、基地局から情報を配信し、該情報を移動体通信端末が受信するＨＳＤＰＡ方式の移動体通信方法において、前記基地局が、前記移動体通信端末に対し、ＨＳ−ＳＣＣＨとＨＳ−ＰＤＳＣＨとを対で送信する第１の過程を備え、前記ＨＳ−ＰＤＳＣＨには、複数の配信情報とそれぞれ対応するＨＳ−ＰＤＳＣＨと、各配信情報の識別情報の識別情報を少なくとも含むガイド情報のＨＳ−ＰＤＳＣＨと、が含まれ、前記ＨＳ−ＳＣＣＨには、各配信情報毎に、対応するＨＳ−ＰＤＳＣＨのオフセット値及びコード数を有するＨＳ−ＰＤＳＣＨが含まれ、前記移動体通信端末は、前記ガイド情報のＨＳ−ＰＤＳＣＨのオフセット値及びコード数を予め記憶保持しており、当該移動体通信方法は、更に、前記移動体通信端末が配信情報を受信する第２の過程を更に備え、前記第２の過程には、前記ガイド情報のＨＳ−ＰＤＳＣＨのオフセット値及びコード数を用いて前記ガイド情報のＨＳ−ＰＤＳＣＨをデコードすることにより、前記ガイド情報を抽出する第３の過程と、前記ガイド情報に含まれる識別情報を用いることにより、前記複数の配信情報の何れかを選択操作可能となるように当該移動体通信端末の表示画面に配信情報の選択画面を表示する第４の過程と、ユーザにより何れかの配信情報が選択されると、複数の移動体通信端末に共用されるｕｅｉｄであって前記選択された配信情報と対応するｕｅｉｄを決定する第５の過程と、前記決定したｕｅｉｄを用いて前記選択された配信情報と対応するＨＳ−ＳＣＣＨをデコードすることにより、前記選択された配信情報と対応するＨＳ−ＰＤＳＣＨのオフセット値及びコード数を抽出する第６の過程と、前記抽出したオフセット値及びコード数を用いて前記選択された配信情報と対応するＨＳ−ＰＤＳＣＨをデコードする第７の過程と、が含まれることを特徴としている。
【００２５】
また、本発明のプログラムは、コンピュータが実行可能なプログラムにおいて、本発明の移動体通信端末の動作をコンピュータに実行させることを特徴としている。
【００２６】
また、本発明のプログラムは、コンピュータが実行可能なプログラムにおいて、本発明の基地局の動作をコンピュータに実行させることを特徴としている。
【発明の効果】
【００２７】
本発明によれば、ＨＳＤＰＡ方式において、従来においては最大同時接続が４ユーザに限られていたところを、より多くのユーザが同時に配信情報を得ることができるようになる。
【発明を実施するための最良の形態】
【００２８】
以下、図面を参照して、本発明に係る実施形態について説明する。
【００２９】
〔第１の実施形態〕
図１は実施形態に係る基地局１０１及び移動体通信端末１０２の構成を示すブロック図である。
【００３０】
図１に示すように、基地局１０１は、移動体通信端末１０２との間でＨＳＤＰＡ方式の通信を行うものであり、送信部３０１、拡散変調部３０２、チャネル符号部３０３、ネットワーク部３０４、制御部３０５、チャネル復号部３０７、逆拡散復調部３０８、受信部３０９、送信アンテナ２０１及び受信アンテナ２０２を備えている。
【００３１】
また、移動体通信端末１０２は、基地局１０１との間でＨＳＤＰＡ方式の通信を行うものであり、送信部３１０、拡散変調部３１１、チャネル符号部３１２、データ復号部３１３、データ入力部３１４、制御部３１５、データ出力部３１６、データ出力処理部３１７、チャネル復号部３１９、逆拡散復調部３２０、受信部３２１、送信アンテナ２０３及び受信アンテナ２０４を備えている。
【００３２】
基地局１０１において、チャネル符号部３０３はネットワーク部３０４より移動体通信端末１０２に送るべきデータに誤り訂正などを施し、拡散変調部３０２でＱＰＳＫ或いは１６ＱＡＭに変調し拡散する。
【００３３】
拡散変調部３０２にて拡散された信号は、送信部３０１にて搬送波周波数にのせ、送信アンテナ２０１より移動体通信端末１０２に送信される。
【００３４】
また、移動体通信端末１０２より基地局１０１に送信されたデータは、基地局１０１の受信アンテナ２０２を経由して受信部３０９で受信する。
【００３５】
基地局１０１の受信部３０９で受信した信号は、逆拡散復調部３０８で逆拡散して復調し、チャネル復号部３０７で誤り訂正などを復号し、ネットワーク部３０４へデータを渡す。
【００３６】
基地局１０１の制御部３０５は、基地局１０１における変復調の制御、チャネル符号／復号の制御、及び、ネットワーク部３０４の制御を行う。
【００３７】
移動体通信端末１０２では、基地局１０１から送信された信号を、受信アンテナ２０４を経由して受信部３２１で受信する。
【００３８】
受信部３２１で受信した信号は、逆拡散復調部３２０で逆拡散して復調し、チャネル復号部３１９で誤り訂正符号などがデコードされ、データ出力処理部３１７でデータ処理を行い、データ出力部３１６に出力される。
【００３９】
また、移動体通信端末１０２からの送信については、データ入力部３１４で入力されたデータをデータ符号部３１３にて符号化し、チャネル符号部３１２にて誤り訂正などを施し、拡散変調部３１１にて変調して拡散され、送信部３１０で搬送波周波数にのせ、送信アンテナ２０３から基地局１０１に送信される。
【００４０】
制御部３１５は、移動体通信端末１０２の動作を統括的に制御するものであり、例えば、ＣＰＵと、このＣＰＵの動作用プログラムを記憶したＲＯＭと、ＣＰＵの作業領域などとして機能するＲＡＭと、を備えている。制御部３１５が行う制御には、信号の変復調の制御、チャネル符号／復号の制御、及び、データ制御などが含まれる。
【００４１】
データ入力部３１４は、例えば、ユーザに操作されるカーソルキー、選択決定（確定）キー、テンキー（例えば、文字入力機能を兼ねる）などの操作部の総称である。
【００４２】
データ出力部３１６は、表示出力を行う表示装置（例えば、液晶表示装置）や音声出力を行うスピーカの総称であり、データ出力処理部３１７の制御下で表示動作や発音動作を行う。
【００４３】
次に、動作を説明する。
【００４４】
ここでは、例えば、ＨＳ−ＰＤＳＣＨのチャネル本数を最大数の１５本にして基地局１０１から情報配信し、移動体通信端末１０２側で番組を選択する方法について説明する。
【００４５】
図２は、本実施形態において、基地局１０１から移動体通信端末１０２へ送信されるＨＳ−ＰＤＳＣＨの構成の一例を示す図である。
【００４６】
本実施形態においては、例えば図２に示すように、基地局１０１は、ＨＳ−ＰＤＳＣＨの１５チャネルのうち、何れか１チャネルには番組ガイドを、残り１４チャネルには番組を、それぞれ割り当てて、番組を配信する。
【００４７】
より具体的には、本実施形態の場合、図２に示すように、例えば、ＨＳ−ＰＤＳＣＨの第１チャネルに番組ガイドが割り当てられ、ＨＳ−ＰＤＳＣＨにおける残りの第２〜第１５チャネルに番組が割り当てられている。本実施形態では、一例として、図２に示すように、第２〜第１５チャネルの各チャネルに対して、それぞれ１つずつの番組が割り当てられている。すなわち、例えば、第２チャネルには番組１が、第３チャネルには番組２が、第４チャネルには番組３が、第５チャネルには番組４が、第６チャネルには番組５が、第７チャネルには番組６が、第８チャネルには番組７が、第９チャネルには番組８が、第１０チャネルには番組９が、第１１チャネルには番組１０が、第１２チャネルには番組１１が、第１３チャネルには番組１２が、第１４チャネルには番組１３が、第１５チャネルには番組１４が、それぞれ割り当てられている。
【００４８】
基地局１０１は、常時、所定周期（例えば２ｍｍ秒）毎に新しいＨＳ−ＰＤＳＣＨ（図２に示すような構成のＨＳ−ＰＤＳＣＨ）を配信する。
【００４９】
なお、従来であれば、基地局１０１は、ＨＳ−ＳＣＣＨとＨＳ−ＰＤＳＣＨとを対にして送信するが、本実施形態では、基地局１０１は、ＨＳ−ＳＣＣＨを配信せずに、ＨＳ−ＰＤＳＣＨを配信する。
【００５０】
また、移動体通信端末１０２においては、従来であれば自分宛のＨＳ−ＳＣＣＨをデコードし、ＨＳ−ＰＤＳＣＨをデコードするための情報を抽出する必要があるが、本実施形態では、ＨＳ−ＳＣＣＨを用いないため、この動作は不要となる。
【００５１】
その代わり、本実施形態の移動体通信端末１０２は、図２のようなＨＳ−ＰＤＳＣＨをデコードするために必要なデコード情報のうち、番組ガイドが入っているＨＳ−ＰＤＳＣＨ（例えば、図２の第１チャネル）に関してのデコード情報を不揮発値として例えば制御部３１５（のＲＯＭ）に予め記憶保持している。すなわち、移動体通信端末１０２は、番組ガイドが入っているＨＳ−ＰＤＳＣＨ（例えば、図２の第１チャネル）のオフセット及びコード数と不揮発値として記憶保持している。
【００５２】
移動体通信端末１０２の動作としては、先ず、ユーザにより番組を視聴を開始する旨の操作がデータ入力部３１４に対して行われると、制御部３１５はその旨を認識する。
【００５３】
すると、制御部３１５は、番組ガイドが入っているＨＳ−ＰＤＳＣＨのオフセット及びコード数を予め記憶しているため、これらオフセット及びコード数を用いることにより、番組ガイドが入っているＨＳ−ＰＤＳＣＨのデコードに用いられるチャネライゼーションコードセットを決定する。
【００５４】
なお、このように、オフセット及びコード数を用いてチャネライゼーションコードセットを決定するのは、従来周知のＨＳＤＰＡ方式における移動体通信端末においても同様である。
【００５５】
また、制御部３１５は、番組ガイドが入っているＨＳ−ＰＤＳＣＨのオフセット及びコード数を逆拡散復調部３２０に通知する一方で、チャネライゼーションコードセットをチャネル復号部３１９に通知する。
【００５６】
また、受信部３２１は、基地局１０１から常時配信される図２のようなＨＳ−ＰＤＳＣＨを受信し、受信した信号を逆拡散復調部３２０に出力する。
【００５７】
逆拡散復調部３２０は、制御部３１５から通知されたオフセット及びコード数（番組ガイドが入っているＨＳ−ＰＤＳＣＨのオフセット及びコード数）に従い、基地局１０１から受信するＨＳ−ＰＤＳＣＨのうち、番組ガイドが入っているチャネル（例えば、図２の第１チャネル）のＨＳ−ＰＤＳＣＨを識別し、当該ＨＳ−ＰＤＳＣＨを逆拡散して復調し、復調後の信号をチャネル復号部３１９に出力する。
【００５８】
更に、チャネル復号部３１９は、制御部３１５から通知されたチャネライゼーションコードセット（番組ガイドが入っているＨＳ−ＰＤＳＣＨのチャネライゼーションコードセット）を用いて、逆拡散復調部３２０から入力される信号をデコード（復号）する。
【００５９】
こうして、基地局１０１から受信するＨＳ−ＰＤＳＣＨ（図２）のうち、番組ガイドが入っているチャネル（例えば、図２の第１チャネル）のＨＳ−ＰＤＳＣＨがデコードされる。
【００６０】
ここで、図３は、移動体通信端末１０２のデータ出力部３１６の表示部に表示される番組の選択画面の一例を示す図である。
【００６１】
番組ガイドには、図３のような画面構成の表示データが含まれている。この表示データには、各番組を識別するための識別情報（番組名など）や、画面構成に関する情報が含まれている。
【００６２】
また、移動体通信端末１０２は、上記表示データを用いて図３のような画面をデータ出力部３１６の表示部に表示させる制御を制御部３１５が実行するための表示制御プログラムを例えばＲＯＭに予め記憶している。
【００６３】
更に、移動体通信端末１０２は、ユーザの操作によって、表示された画面内の選択項目（図３の番組１〜番組１４）のうち所望の選択項目にカーソルが移動され該カーソル位置で選択確定操作がなされると、制御部３１５がその番組が入っているＨＳ−ＰＤＳＣＨのオフセット及びコード数を決定する動作を実行するためのオフセット・コード数決定プログラムを例えばＲＯＭに予め記憶している。
【００６４】
そして、番組ガイドには、オフセット・コード数決定プログラムに従った動作に際して制御部３１５が参照するテーブル（後述）も含まれている。
【００６５】
すなわち、チャネル復号部３１９は、番組ガイドが入っているＨＳ−ＰＤＳＣＨをデコードすることにより、上記のテーブル及び表示データを抽出する。
【００６６】
更に、チャネル復号部３１９は、番組ガイドが入っているＨＳ−ＰＤＳＣＨのデコードにより抽出した表示データ及びテーブルのうち、番組選択画面の表示データはデータ出力処理部３１７へ、テーブルは制御部３１５へ、それぞれ出力する。
【００６７】
なお、チャネル復号部３１９からは、上記表示データ及びテーブルを、制御部３１５及びデータ出力処理部３１７の双方に出力し、制御部３１５ではこれらのうちテーブルを選別して使用する一方で、データ出力処理部３１７ではこれらのうち表示データを選別して使用するようにしても良い。
【００６８】
次に、制御部３１５は、表示制御プログラムに従ってデータ出力処理部３１７を制御し、データ出力処理部３１７は、制御部３１５による制御に従い、チャネル復号部３１９から入力された番組選択画面の表示データを用いて図３のような番組選択画面をデータ出力部３１６の表示画面に表示させる。
【００６９】
要するに、移動体通信端末１０２では、基地局１０１から図２のようなＨＳ−ＰＤＳＣＨを受信すると、その中の番組ガイドの内容に基づき、例えば、図３のような画面を当該移動体通信端末１０２のデータ出力部３１６に表示する。
【００７０】
なお、番組１〜１４は、便宜的な名称であり、具体的には、図３の番組１・・・には、番組のタイトルなどの識別情報が表示される。
【００７１】
そして、ユーザは自分の見たい番組をデータ出力部３１６の表示画面上において選択するための操作をデータ入力部３１４に対して行う。すなわち、カーソルを見たい番組に移動させる操作を必要に応じて行った後で、選択決定（確定）操作を行う。
【００７２】
すると、操作に応じてデータ入力部３１４が検出した検出信号がデータ符号部３１３を通って制御部３１５に入力される。
【００７３】
すると、制御部３１５は、検出信号に応じて、すなわち、選択された番組に応じて、オフセット及びコード数を決定する。
【００７４】
ここで、番組ガイドが入っているチャネルのＨＳ−ＰＤＳＣＨをデコードすることにより抽出される上記のテーブルは、データ入力部３１４に対する操作による選択確定結果と、オフセット及びコード数と、の対応付け情報を格納したものである。すなわち、この対応付け情報は、例えば、図３の番組１はオフセットが１でコード数も１、番組２はオフセットが２でコード数も１、番組３はオフセットが３でコード数も１、番組４はオフセットが４でコード数も１、番組５はオフセットが５でコード数も１、番組６はオフセットが６でコード数も１、番組７はオフセットが７でコード数も１、番組８はオフセットが８でコード数も１、番組９はオフセットが９でコード数も１、番組１０はオフセットが１０でコード数も１、番組１１はオフセットが１１でコード数も１、番組１２はオフセットが１２でコード数も１、番組１３はオフセットが１３でコード数も１、番組１４はオフセットが１４でコード数も１、というように、各番組とオフセット及びコード数との対応付けを示す情報である。
【００７５】
そして、制御部３１５は、このテーブル内の対応付け情報を参照することにより、選択された番組に応じてオフセット及びコード数を決定する。
【００７６】
更に、制御部３１５は、決定したオフセット及びコード数を用いて、選択された番組が入っているＨＳ−ＰＤＳＣＨをデコードするためのチャネライゼーションコードセットを決定する。
【００７７】
更に、制御部３１５は、決定したオフセット及びコード数を逆拡散復調部３２０に通知し、決定したチャネライゼーションコードセットをチャネル復号部３１９に通知する。
【００７８】
逆拡散復調部３２０は、制御部３１５から通知されたオフセット及びコード数（ユーザにより選択された番組が入っているＨＳ−ＰＤＳＣＨのオフセット及びコード数）に従い、基地局１０１から受信する１５本分のチャネル数のＨＳ−ＰＤＳＣＨのうち、ユーザにより選択された番組が入っているチャネル（例えば、オフセットが２でコード数が１であれば、図２の第３チャネル）のＨＳ−ＰＤＳＣＨを識別し、当該ＨＳ−ＰＤＳＣＨを逆拡散して復調し、復調後の信号をチャネル復号部３１９に出力する。
【００７９】
更に、チャネル復号部３１９は、制御部３１５から通知されたチャネライゼーションコードセット（ユーザにより選択された番組が入っているＨＳ−ＰＤＳＣＨのチャネライゼーションコードセット）を用いて、逆拡散復調部３２０から入力される信号をデコード（復号）する。
【００８０】
こうして、基地局１０１から受信するＨＳ−ＰＤＳＣＨ（図２）のうち、ユーザにより選択された番組が入っているチャネル（例えば、図２の第３チャネル）のＨＳ−ＰＤＳＣＨがデコードされ、番組の表示データ及び音声データが抽出される。
【００８１】
更に、チャネル復号部３１９は、ユーザにより選択された番組が入っているＨＳ−ＰＤＳＣＨのデコードにより抽出した表示データ及び音声データをデータ出力処理部３１７へ出力する。
【００８２】
データ出力処理部３１７は、制御部３１５による制御に従い、チャネル復号部３１９から入力された番組の表示データ及び音声データを用いて、番組の表示及び音声をデータ出力部３１６から出力させる。
【００８３】
こうして、ユーザにより選択された番組がデータ出力部３１６に表示されたり音声出力されるので、ユーザは番組を視聴することができる。
【００８４】
以上のような第１の実施形態によれば、ユーザによる番組の選択動作に連動させて、ＨＳ−ＰＤＳＣＨのオフセットを決定するので、ＨＳＤＰＡ通信における同一セルにおいて、多数のユーザの移動体通信端末１０２において、それぞれ選択した番組をいつでも視聴することができる。
【００８５】
更に、本実施形態では、ＨＳ−ＳＣＣＨ及びＨＳ−ＰＤＳＣＨを使用しないため、電力リソースを減らすこともできる。
【００８６】
〔第２の実施形態〕
上記の第１の実施形態では、１つの番組に対して１つのチャネルが割り当てられている例を説明したが、１つの番組の情報量が多い場合、各番組に対して１チャネルのみの割り当てでは、基地局１０１から遠くに位置する移動体通信端末１０２や電波環境の悪い移動体通信端末１０２では適切に番組を視聴できない可能性がある。
【００８７】
そこで、第２の実施形態では、１つの番組に対して複数のチャネルを割り当てる例を説明する。
【００８８】
本実施形態の場合、基地局１０１及び移動体通信端末１０２の構成及び動作は基本的に上記の第１の実施形態と同様であるが、以下に説明するように、基地局１０１から配信されるＨＳ−ＰＤＳＣＨの構成が上記の第１の実施形態と相違し、この相違に伴い、他にも幾つかの点で上記の第１の実施形態と相違する。
【００８９】
図４は、本実施形態において、基地局１０１から移動体通信端末１０２へ送信されるＨＳ−ＰＤＳＣＨの構成の一例を示す図である。
【００９０】
本実施形態においては、例えば図４に示すように、基地局１０１は、ＨＳ−ＰＤＳＣＨの１５チャネルのうち、第２及び第３チャネルには番組１を、第４乃至第７チャネルには番組２を、第８乃至第１２チャネルには番組３を、第１３乃至第１５チャネルには番組４を、それぞれ割り当てて、番組を配信する。
【００９１】
本実施形態の場合、移動体通信端末１０２の動作としては、先ず、ユーザにより、番組を視聴を開始する旨の操作がデータ入力部３１４に対して行われると、制御部３１５は、その旨を認識する。
【００９２】
すると、制御部３１５は、番組ガイドが入っているＨＳ−ＰＤＳＣＨのオフセット及びコード数を予め記憶しているため、これらオフセット及びコード数を用いることにより、番組ガイドが入っているＨＳ−ＰＤＳＣＨのデコードに用いられるチャネライゼーションコードセットを決定する。
【００９３】
また、制御部３１５は、番組ガイドが入っているＨＳ−ＰＤＳＣＨのオフセット及びコード数を逆拡散復調部３２０に通知する一方で、チャネライゼーションコードセットをチャネル復号部３１９に通知する。
【００９４】
また、受信部３２１は、基地局１０１から常時配信される図４のようなＨＳ−ＰＤＳＣＨを受信し、受信した信号を逆拡散復調部３２０に出力する。
【００９５】
逆拡散復調部３２０は、制御部３１５から通知されたオフセット及びコード数（番組ガイドが入っているＨＳ−ＰＤＳＣＨのオフセット及びコード数）に従い、基地局１０１から受信するＨＳ−ＰＤＳＣＨのうち、番組ガイドが入っているチャネル（例えば、図４の第１チャネル）のＨＳ−ＰＤＳＣＨを識別し、当該ＨＳ−ＰＤＳＣＨを逆拡散して復調し、復調後の信号をチャネル復号部３１９に出力する。
【００９６】
更に、チャネル復号部３１９は、制御部３１５から通知されたチャネライゼーションコードセット（番組ガイドが入っているＨＳ−ＰＤＳＣＨのチャネライゼーションコードセット）を用いて、逆拡散復調部３２０から入力される信号をデコード（復号）する。
【００９７】
こうして、基地局１０１から受信するＨＳ−ＰＤＳＣＨ（図４）のうち、番組ガイドが入っているチャネル（例えば、図４の第１チャネル）のＨＳ−ＰＤＳＣＨがデコードされる。
【００９８】
ここで、図５は、本実施形態の場合に、移動体通信端末１０２のデータ出力部３１６の表示部に表示される番組の選択画面の一例を示す図である。
【００９９】
番組ガイドには、図５のような画面構成の表示データが含まれている。この表示データには、各番組を識別するための識別情報（番組名など）や、画面構成に関する情報が含まれている。
【０１００】
また、移動体通信端末１０２は、上記表示データを用いて図５のような画面をデータ出力部３１６の表示部に表示させる制御を制御部３１５が実行するための表示制御プログラムを例えばＲＯＭに予め記憶している。
【０１０１】
更に、移動体通信端末１０２は、ユーザの操作によって、表示された画面内の選択項目（図５の番組１〜番組４）のうち所望の選択項目にカーソルが移動され該カーソル位置で選択確定操作がなされると、制御部３１５がその番組が入っているＨＳ−ＰＤＳＣＨのオフセット及びコード数を決定する動作を実行するためのオフセット・コード数決定プログラムを例えばＲＯＭに予め記憶している。
【０１０２】
そして、番組ガイドには、オフセット・コード数決定プログラムに従った動作に際して制御部３１５が参照するテーブル（後述）も含まれている。
【０１０３】
すなわち、チャネル復号部３１９は、番組ガイドが入っているＨＳ−ＰＤＳＣＨをデコードすることにより、上記のテーブル及び表示データを抽出する。
【０１０４】
更に、チャネル復号部３１９は、番組ガイドが入っているＨＳ−ＰＤＳＣＨのデコードにより抽出した表示データ及びテーブルのうち、番組選択画面の表示データはデータ出力処理部３１７へ、テーブルは制御部３１５へ、それぞれ出力する。
【０１０５】
次に、制御部３１５は、表示制御プログラムに従ってデータ出力処理部３１７を制御し、データ出力処理部３１７は、制御部３１５による制御に従い、チャネル復号部３１９から入力された番組選択画面の表示データを用いて図５のような番組選択画面をデータ出力部３１６の表示画面に表示させる。
【０１０６】
要するに、移動体通信端末１０２では、基地局１０１から図４のようなＨＳ−ＰＤＳＣＨを受信すると、その中の番組ガイドの内容に基づき、例えば、図５のような画面を当該移動体通信端末１０２のデータ出力部３１６に表示する。
【０１０７】
そして、ユーザは自分の見たい番組をデータ出力部３１６の表示画面上において選択するための操作をデータ入力部３１４に対して行う。
【０１０８】
すると、操作に応じてデータ入力部３１４が検出した検出信号がデータ符号部３１３を通って制御部３１５に入力される。
【０１０９】
すると、制御部３１５は、検出信号に応じて、すなわち、選択された番組に応じて、オフセットを決定する。
【０１１０】
ここで、本実施形態の場合、上記のテーブルは、例えば、図５の番組１はオフセットが１でコード数が２、番組２はオフセットが３でコード数が４、番組３はオフセットが７でコード数が５、番組４はオフセットが１２でコード数が３というように、各番組とオフセット及びコード数との対応付けを示す情報である。
【０１１１】
そして、制御部３１５は、このテーブル内の対応付け情報を参照することにより、選択された番組に応じてオフセット及びコード数を決定する。
【０１１２】
更に、制御部３１５は、決定したオフセット及びコード数を用いて、選択された番組が入っているＨＳ−ＰＤＳＣＨを全てデコードするためのチャネライゼーションコードセットそれぞれを決定する。
【０１１３】
更に、制御部３１５は、決定したオフセット及びコード数を逆拡散復調部３２０に通知し、決定したチャネライゼーションコードセットをチャネル復号部３１９に通知する。
【０１１４】
逆拡散復調部３２０は、制御部３１５から通知されたオフセット及びコード数（ユーザにより選択された番組が入っているＨＳ−ＰＤＳＣＨのオフセット及びコード数）に従い、基地局１０１から受信する１５本分のチャネル数のＨＳ−ＰＤＳＣＨのうち、ユーザにより選択された番組が入っている複数のチャネル（例えば、番組２が選択された場合、オフセットが３でコード数が４であるため、該当するチャネルは図４の第４乃至第７チャネル）のＨＳ−ＰＤＳＣＨを全て識別し、これらＨＳ−ＰＤＳＣＨをそれぞれ逆拡散して復調し、復調後の信号をチャネル復号部３１９に出力する。
【０１１５】
更に、チャネル復号部３１９は、制御部３１５から通知されたチャネライゼーションコードセット（ユーザにより選択された番組と対応する全てのチャネライゼーションコードセットであり、例えば、番組２が選択された場合は図４の第４乃至第７チャネルの各々のチャネライゼーションコードセット）を用いて、逆拡散復調部３２０から入力される信号をデコード（復号）する。
【０１１６】
こうして、基地局１０１から受信するＨＳ−ＰＤＳＣＨ（図４）のうち、ユーザにより選択された番組が入っているチャネル（例えば、図４の第４乃至第７チャネル）のＨＳ−ＰＤＳＣＨが全てデコードされ、番組の表示データ及び音声データが全て抽出される。
【０１１７】
更に、チャネル復号部３１９は、ユーザにより選択された番組が入っているＨＳ−ＰＤＳＣＨを全てデコードすることにより抽出した表示データ及び音声データをデータ出力処理部３１７へ出力する。
【０１１８】
データ出力処理部３１７は、制御部３１５による制御に従い、チャネル復号部３１９から入力された番組の表示データ及び音声データを用いて、番組の表示及び音声をデータ出力部３１６から出力させる。
【０１１９】
こうして、ユーザにより選択された番組がデータ出力部３１６に表示されたり音声出力されるので、ユーザは番組を視聴することができる。
【０１２０】
以上のような第２の実施形態によれば、第１の実施形態と同様の効果が得られる。
【０１２１】
〔第３の実施形態〕
第３の実施形態の場合も、基地局１０１及び移動体通信端末１０２の構成は基本的に上記の第１の実施形態と同様である。
【０１２２】
ただし、本実施形態では、ＨＳ−ＳＣＣＨとＨＳ−ＰＤＳＣＨとを対にして番組を配信する点で、上記の第１の実施形態と相違する。
【０１２３】
ＨＳ−ＳＣＣＨには、各番組毎に、対応するＨＳ−ＰＤＳＣＨのオフセット値及びコード数を有するＨＳ−ＰＤＳＣＨが含まれる。
【０１２４】
更に、本実施形態では、移動体通信端末１０２は、選択画面において選択された番組と、各番組と対応するＳＨ−ＳＣＣＨのｕｅｉｄ及びチャネライゼーションコードセットと、の対応付けを示す対応付け情報（テーブル）を用いる。この対応付け情報（テーブル）は、移動体通信端末１０２が予め不揮発値として記憶保持しても良いし、或いは、番組ガイドが入っているＨＳ−ＰＤＳＣＨに入れて、基地局１０２から移動体通信端末１０２に配信するようにしても良い。
【０１２５】
更に、各番組と対応するＳＨ−ＳＣＣＨのｕｅｉｄについても、移動体通信端末１０２が予め不揮発値として記憶保持しても良いし、或いは、番組ガイドが入っているＨＳ−ＰＤＳＣＨに入れて、基地局１０２から移動体通信端末１０２に配信するようにしても良い。
【０１２６】
更に、各番組と対応するＳＨ−ＳＣＣＨのチャネライゼーションコードセットについても、移動体通信端末１０２が予め不揮発値として記憶保持しても良いし、或いは、番組ガイドが入っているＨＳ−ＰＤＳＣＨに入れて、基地局１０２から移動体通信端末１０２に配信するようにしても良い。
【０１２７】
番組ガイドが入っているＨＳ−ＰＤＳＣＨ（例えば、図２の第１チャネル）のオフセット及びコード数を移動体通信端末１０２が不揮発値として記憶保持している点については、上記の第１の実施形態と同様である。
【０１２８】
なお、本実施形態では、ｕｅｉｄは、個々の移動体通信端末１０２に固有の情報ではなく、複数の移動体通信端末１０２で共有される情報である。
【０１２９】
次に、本実施形態の動作を説明する。
【０１３０】
基地局１０１では、配信する番組の情報量に応じて、その制御部３０５にて適宜にＨＳ−ＰＤＳＣＨのコード数及び変調方式を決め、チャネル符号部３０３にて符号化し、拡散変調部３０２、送信部３０１、基地局送信アンテナ２０１を介して移動体通信端末１０２に送信する。ここで、情報量が多い番組に対しては複数のチャネル（コード数）を割り当てる。また、変調方式には、例えば、ＱＰＳＫ方式や１６ＱＡＭがあり、高レートの通信が必要であれば、１６ＱＡＭを選択する。
【０１３１】
図４は、本実施形態において、基地局１０１から移動体通信端末１０２へ送信されるＨＳ−ＰＤＳＣＨの構成の一例を示す図である。
【０１３２】
本実施形態の場合、図４に示すように、例えば、ＨＳ−ＰＤＳＣＨの第１チャネルに番組ガイドが割り当てられ、第２チャネル及び第３チャネルには番組１が、第４乃至第７チャネルには番組２が、第８乃至第１２チャネルには番組３が、第１３乃至第１５チャネルには番組４が、それぞれ割り当てられている。
【０１３３】
本実施形態における移動体通信端末１０２の動作としては、先ず、ユーザにより番組を視聴を開始する旨の操作がデータ入力部３１４に対して行われると、制御部３１５はその旨を認識する。
【０１３４】
すると、制御部３１５は、番組ガイドが入っているＨＳ−ＰＤＳＣＨのオフセット及びコード数を予め記憶しているため、これらオフセット及びコード数を用いることにより、番組ガイドが入っているＨＳ−ＰＤＳＣＨのデコードに用いられるチャネライゼーションコードセットを決定する。
【０１３５】
また、制御部３１５は、番組ガイドが入っているＨＳ−ＰＤＳＣＨのオフセット及びコード数を逆拡散復調部３２０に通知する一方で、チャネライゼーションコードセットをチャネル復号部３１９に通知する。
【０１３６】
また、受信部３２１は、基地局１０１から常時配信される図４のようなＨＳ−ＰＤＳＣＨを受信し、受信した信号を逆拡散復調部３２０に出力する。
【０１３７】
逆拡散復調部３２０は、制御部３１５から通知されたオフセット及びコード数（番組ガイドが入っているＨＳ−ＰＤＳＣＨのオフセット及びコード数）に従い、基地局１０１から受信するＨＳ−ＰＤＳＣＨのうち、番組ガイドが入っているチャネル（例えば、図４の第１チャネル）のＨＳ−ＰＤＳＣＨを識別し、当該ＨＳ−ＰＤＳＣＨを逆拡散して復調し、復調後の信号をチャネル復号部３１９に出力する。
【０１３８】
更に、チャネル復号部３１９は、制御部３１５から通知されたチャネライゼーションコードセット（番組ガイドが入っているＨＳ−ＰＤＳＣＨのチャネライゼーションコードセット）を用いて、逆拡散復調部３２０から入力される信号をデコード（復号）する。
【０１３９】
こうして、基地局１０１から受信するＨＳ−ＰＤＳＣＨ（図４）のうち、番組ガイドが入っているチャネル（例えば、図４の第１チャネル）のＨＳ−ＰＤＳＣＨがデコードされる。
【０１４０】
ここで、図５は、移動体通信端末１０２のデータ出力部３１６の表示部に表示される番組の選択画面の一例を示す図である。
【０１４１】
番組ガイドには、図５のような画面構成の表示データが含まれている。この表示データには、各番組を識別するための識別情報（番組名など）や、画面構成に関する情報が含まれている。
【０１４２】
また、移動体通信端末１０２は、上記表示データを用いて図５のような画面をデータ出力部３１６の表示部に表示させる制御を制御部３１５が実行するための表示制御プログラムを例えばＲＯＭに予め記憶している。
【０１４３】
更に、移動体通信端末１０２は、ユーザの操作によって、表示された画面内の選択項目（図４の番組１〜番組４）のうち所望の選択項目にカーソルが移動され該カーソル位置で選択確定操作がなされると、制御部３１５がその番組と対応するｕｅｉｄ及びチャネライゼーションコードセットを決定する動作を実行するためのｕｅｉｄ・チャネライゼーションコードセット決定プログラムを例えばＲＯＭに予め記憶している。
【０１４４】
ｕｅｉｄ・チャネライゼーションコードセット決定プログラムに従った動作に際して制御部３１５が参照するテーブルは、上記のように、予め移動体通信端末１０２が記憶保持しているか、又は、番組ガイドと同じＨＳ−ＰＤＳＣＨに入れて、基地局１０１から配信される。従って、後者の場合は、番組ガイドが入っているＨＳ−ＰＤＳＣＨのデコードにより、上記テーブルが抽出される。
【０１４５】
従って、チャネル復号部３１９は、番組ガイドが入っているＨＳ−ＰＤＳＣＨをデコードすることにより、上記の表示データを抽出するか、或いは、上記の表示データ及びテーブルを抽出する。
【０１４６】
更に、チャネル復号部３１９は、番組ガイドが入っているＨＳ−ＰＤＳＣＨのデコードにより抽出した表示データをデータ出力処理部３１７へ出力する。また、テーブルも抽出した場合は、該テーブルを制御部３１５へ出力する。
【０１４７】
次に、制御部３１５は、表示制御プログラムに従ってデータ出力処理部３１７を制御し、データ出力処理部３１７は、制御部３１５による制御に従い、チャネル復号部３１９から入力された番組選択画面の表示データを用いて図５のような番組選択画面をデータ出力部３１６の表示画面に表示させる。
【０１４８】
要するに、移動体通信端末１０２では、基地局１０１から図４のようなＨＳ−ＰＤＳＣＨを受信すると、その中の番組ガイドの内容に基づき、例えば、図５のような画面を当該移動体通信端末１０２のデータ出力部３１６に表示する。
【０１４９】
そして、ユーザは自分の見たい番組をデータ出力部３１６の表示画面上において選択するための操作をデータ入力部３１４に対して行う。
【０１５０】
すると、操作に応じてデータ入力部３１４が検出した検出信号がデータ符号部３１３を通って制御部３１５に入力される。
【０１５１】
すると、制御部３１５は、上記のテーブルを参照することにより、データ入力部３１４からデータ符号部３１３を介して入力される検出信号に応じてｕｅｉｄ及びチャネライゼーションコードセットを決定する。すなわち、選択された番組に応じて、受信すべきＨＳ−ＳＣＣＨのｕｅｉｄ及びチャネライゼーションコードセットを決定する。
【０１５２】
ここで、本実施形態の場合のテーブルには、例えば、番組１はｕｅｉｄが１、番組２はｕｅｉｄが２、番組３はｕｅｉｄが３、番組４はｕｅｉｄが４といったような対応付け情報が含まれている。
【０１５３】
そして、制御部３１５は、このテーブル内の対応付け情報を参照することにより、選択された番組に応じてｕｅｉｄ及びチャネライゼーションコードセットを決定する。
【０１５４】
更に、制御部３１５は、決定したｕｅｉｄ及びチャネライゼーションコードセットをチャネル復号部３１９に通知する。
【０１５５】
チャネル復号部３１９は、制御部３１５から通知されたｕｅｉｄ及びチャネライゼーションコードセット（選択された番組と対応するＨＳ−ＳＣＣＨのｕｅｉｄ及びチャネライゼーションコードセット）を用いて、ＨＳ−ＳＣＣＨのデコードを行うことにより、選択された番組と対応するＨＳ−ＰＤＳＣＨのデコード情報（オフセット及びコード数）を抽出する。ここで、より詳細には、チャネル復号部３１９は、制御部３１５から通知されたｕｅｉｄ及びチャネライゼーションコードセットを用いて、図４に示す全ての番組と対応するＨＳ−ＳＣＣＨの復号を試み、各復号結果について、正しく復号できたか否かのチェックを例えばＣＲＣチェックなどにより行う。そして、正しく復号できた復号結果を、選択された番組と対応するＨＳ−ＰＤＳＣＨのデコード情報とみなす。
【０１５６】
チャネル復号部３１９は、このようにして、選択された番組と対応するＨＳ−ＰＤＳＣＨのデコード情報を抽出すると、該デコード情報を用いて、上記の第１の実施形態と同様の動作により、選択された番組と対応するＨＳ−ＰＤＳＣＨのデコードを行い、番組の表示データ及び音声データを抽出する。
【０１５７】
更に、チャネル復号部３１９は、抽出した表示データ及び音声データをデータ出力処理部３１７へ出力する。
【０１５８】
データ出力処理部３１７は、制御部３１５による制御に従い、チャネル復号部３１９から入力された番組の表示データ及び音声データを用いて、番組の表示及び音声をデータ出力部３１６から出力させる。
【０１５９】
こうして、ユーザにより選択された番組がデータ出力部３１６に表示されたり音声出力されるので、ユーザは番組を視聴することができる。
【０１６０】
なお、上記は一例であり、番組の情報量に応じて番組毎にＨＳ−ＰＤＳＣＨのチャネル数を決めることができ、配信中も番組毎に随時においてＨＳ−ＰＤＳＣＨのチャネル数を変更することが可能である。ただし、全ての番組（図４の例では例えば４つの番組）を合算したＨＳ−ＰＤＳＣＨのチャネル数１４（番組ガイドの１チャネル分を除くチャネル数）を超えることはできない。
【０１６１】
以上のような第３の実施形態によれば、ユーザによる番組の選択動作に連動させて、ＨＳ−ＳＣＣＨのｕｅｉｄを決定するので、ＨＳＤＰＡ通信に対応した移動体通信端末１０２で多数のユーザが選択した番組をいつでも見ることができる。
【０１６２】
しかも、本実施形態では、基地局１０１は番組情報量に応じて送信レートを変更することができる。
【０１６３】
また、ＨＳ−ＰＤＳＣＨを使用しないため、従来よりも電力リソースを減らすことができる。
【０１６４】
なお、上記の各実施形態では、番組ガイドを１つのチャネルに割り当てる例を説明したが、番組ガイドを複数のチャネルに割り当てても良いのは勿論である。
【０１６５】
また、配信される情報（配信情報）が番組である例を説明したが、番組以外の情報を配信することもできる。
【図面の簡単な説明】
【０１６６】
【図１】第１の実施形態に係る基地局及び移動体通信端末の構成を示すブロック図である。
【図２】第１の実施形態において、基地局から移動体通信端末へ送信されるＨＳ−ＰＤＳＣＨの構成の一例を示す図である。
【図３】第１の実施形態において、移動体通信端末に表示される番組の選択画面の一例を示す図である。
【図４】第２及び第３の実施形態において基地局から移動体通信端末へ送信されるＨＳ−ＰＤＳＣＨの構成の一例を示す図である。
【図５】第２及び第３の実施形態において、移動体通信端末に表示される番組の選択画面の一例を示す図である。
【図６】ＨＳ−ＤＰＣＣＨのサブフレームの構成を示す図である。
【符号の説明】
【０１６７】
１０１  基地局
１０２  移動体通信端末
【図１】
2008227705.tif 000003
【図２】
2008227705.tif 000004
【図３】
2008227705.tif 000005
【図４】
2008227705.tif 000006
【図５】
2008227705.tif 000007
【図６】
2008227705.tif 000008